(57)【要約】【課題】使用状況の変更等に伴う利用効率の低下の抑制を図る。【解決手段】アダプタ２は、入力端子部１２と電気的に接続される第１接続部２１と、直流電力が供給される電源ケーブル３と電気的に接続される第２接続部２２とを備える。アダプタ２は、第２接続部２２に入力される直流電力を交流電力に電力変換するインバータ回路２０と、インバータ回路２０を収容する筐体２４とを備える。アダプタ２は、インバータ回路２０が出力する交流電力を第１接続部２１から照明装置１の入力端子部１２に出力するように構成されている。【選択図】        図２
2019046603.tif 000002
【特許請求の範囲】
【請求項１】
光源を点灯させる照明装置に設けられた入力端子部に接続されるアダプタであって、
交流電力が入力される前記入力端子部と電気的に接続される第１接続部と、
直流電力が供給される給電路と電気的に接続される第２接続部と、
前記第２接続部に入力される前記直流電力を交流電力に電力変換する電力変換部と、
前記第１接続部、前記第２接続部並びに前記電力変換部を収容する筐体と
を備え、
前記電力変換部が出力する前記交流電力を前記第１接続部から前記照明装置の前記入力端子部に出力するように構成されている
ことを特徴とするアダプタ。
【請求項２】
前記第１接続部は、前記筐体から導出され、前記入力端子部と電気的に接続される１つ以上の電線を有している
ことを特徴とする請求項１記載のアダプタ。
【請求項３】
前記第１接続部は、棒状に形成されて前記筐体の表面から突出し、かつ、前記入力端子部と電気的かつ機械的に接続される１つ以上の接触子を有している
ことを特徴とする請求項１記載のアダプタ。
【請求項４】
前記第２接続部から前記第１接続部に到る電路に流れる電流が所定の上限値を超えた場合に前記電路を遮断する遮断部を備える
ことを特徴とする請求項１〜３のいずれか１項に記載のアダプタ。
【請求項５】
前記第２接続部と電気的に並列接続され、前記第２接続部に入力される前記直流電力を外部に出力する第３接続部を備える
ことを特徴とする請求項１〜４のいずれか１項に記載のアダプタ。
【請求項６】
光源と、
請求項１〜５のいずれか１項のアダプタが備える前記第１接続部と電気的に接続されて前記アダプタから交流電力が入力される前記入力端子部と、
前記入力端子部と電気的に接続されて前記光源を点灯させる点灯回路と
を備える
ことを特徴とする照明装置。
【発明の詳細な説明】
【技術分野】
【０００１】
本発明は、アダプタ及び照明装置に関し、より詳細には、直流電力を交流電力に変換するアダプタ、及び前記アダプタと電気的に接続されて前記アダプタから出力される交流電力によって動作する照明装置に関する。
【背景技術】
【０００２】
従来の照明装置の一例として、特許文献１記載の非常用照明器具を例示する。特許文献１記載の非常用照明器具は、電源別置型非常時用照明器具であり、商用電源などの常用電源の停電時に非常用電源（予備電源）から供給される直流電力で光源（放電灯）を点灯し、非常用照明を行うように構成されている。また、特許文献１記載の非常用照明器具は、常用電源から供給される交流電力によって非常用照明と共通の光源（放電灯）を点灯して常用照明を行うように構成されている。つまり、特許文献１記載の非常用照明器具は、併用型非常時用照明器具でもある。
【先行技術文献】
【特許文献】
【０００３】
【特許文献１】特開２００３−２４９３８５号公報
【発明の概要】
【発明が解決しようとする課題】
【０００４】
ところで、特許文献１記載の照明装置は、常用電源のみに接続されれば常用照明のみを行うように機能し、非常用電源のみに接続されれば非常用照明のみを行うように機能する。したがって、机や棚などの什器の配置（レイアウト）が変更される場合、特許文献１記載の照明装置と常用電源及び非常用電源との接続状態が変更されることで非常用照明器具の配置を変更することができる。
【０００５】
しかしながら、特許文献１記載の照明装置が上述のように使用される場合、一部の機能（常用照明を行う機能又は非常用照明を行う機能）が使用不可になるので、照明装置（非常用照明器具）の利用効率の低下を招くという問題があった。
【０００６】
本発明の目的は、使用状況の変更等に伴う利用効率の低下の抑制を図ることができるアダプタ及び照明装置を提供することである。
【課題を解決するための手段】
【０００７】
本発明の一態様に係るアダプタは、光源を点灯させる照明装置に設けられた入力端子部に接続されるアダプタである。前記アダプタは、交流電力が入力される前記入力端子部と電気的に接続される第１接続部と、直流電力が供給される給電路と電気的に接続される第２接続部とを備える。前記アダプタは、前記第２接続部に入力される前記直流電力を交流電力に電力変換する電力変換部と、前記第１接続部、前記第２接続部並びに前記電力変換部を収容する筐体とを備える。前記アダプタは、前記電力変換部が出力する前記交流電力を前記第１接続部から前記照明装置の前記入力端子部に出力するように構成されている。
【０００８】
本発明の一態様に係る照明装置は、光源と、前記アダプタが備える前記第１接続部と電気的に接続されて前記アダプタから交流電力が入力される入力端子部とを備える。前記照明装置は、前記入力端子部と電気的に接続されて前記光源を点灯させる点灯回路を備える。
【発明の効果】
【０００９】
本発明のアダプタ及び照明装置は、使用状況の変更等に伴う利用効率の低下の抑制を図ることができるという効果がある。
【図面の簡単な説明】
【００１０】
【図１】図１は、本発明の一実施形態に係るアダプタ及び照明装置の斜視図である。
【図２】図２は、同上のアダプタ及び照明装置の回路構成図である。
【図３】図３は、同上のアダプタの断面図である。
【図４】図４は、同上の照明装置の斜視図である。
【図５】図５は、同上の照明装置の側面図である。
【図６】図６は、同上の照明装置の別の側面図である。
【図７】図７は、同上のアダプタの変形例を示す斜視図である。
【発明を実施するための形態】
【００１１】
以下、本発明の一実施形態に係るアダプタ２及び照明装置１について、図面を参照して詳細に説明する。ただし、下記の実施形態において説明する各図は模式的な図であり、各構成要素の大きさや厚さそれぞれの比が必ずしも実際の寸法比を反映しているとは限らない。なお、以下の実施形態で説明する構成は本発明の一例にすぎない。本発明は、以下の実施形態に限定されず、本発明の効果を奏することができれば、設計等に応じて種々の変更が可能である。
【００１２】
アダプタ２は、図１及び図２に示すように、予備電源装置４から電源ケーブル３を介して供給される直流電力を交流電力に電力変換するように構成されている。さらに、アダプタ２は、２本の電線２１０を介して照明装置１に交流電力を供給するように構成されている。一方、照明装置１は、アダプタ２もしくは商用電源（図示せず）から供給される交流電力によって光源を点灯するように構成されている。
【００１３】
予備電源装置４は、蓄電池、商用電源から供給される交流電力によって蓄電池を充電する充電回路、蓄電池から電源ケーブル３への直流電力の給電を入切する切替器、商用電源の停電を検知したときに切替器を投入する停電検知回路などを備えている。予備電源装置４は、停電検知回路が商用電源の停電を検知していないときは切替器を切って充電回路に蓄電池を充電させる。また、予備電源装置４は、停電検知回路が商用電源の停電を検知している間は切替器を投入して蓄電池を放電させ、電源ケーブル３を介して直流電力を供給する。ただし、このような予備電源装置４は従来周知であるから詳細な回路構成の図示並びに説明は省略する。
【００１４】
照明装置１は、光源に相当するＬＥＤ（Light Emitting Diode）１０と、入力端子部１２と、点灯回路１３とを備えている（図２参照）。ＬＥＤ１０は、例えば、照明用白色ＬＥＤである。ただし、光源はＬＥＤに限定されず、ハロゲン電球などであっても構わない。
【００１５】
入力端子部１２は、商用電源から供給される交流電力、もしくはアダプタ２から出力される交流電力が入力される。入力端子部１２は、例えば、送り端子付きの端子台で構成されている。入力端子部１２は、複数のねじなし端子（刃受）を有している。
【００１６】
点灯回路１３は、入力端子部１２を介して入力される交流電力を直流電力に変換するように構成されている。点灯回路１３は、例えば、ダイオードブリッジのような全波整流回路と、力率改善回路と、降圧チョッパ回路とを有している。点灯回路１３は、降圧チョッパ回路の出力電流をＬＥＤ１０に供給してＬＥＤ１０を点灯させるように構成されている。ただし、このような点灯回路１３の構成は従来周知であるから詳細な構成の図示並びに説明は省略する。
【００１７】
アダプタ２は、インバータ回路２０と、第１接続部２１と、第２接続部２２と、プリント配線板２３と、筐体２４と、ヒューズ２５と、第３接続部２６とを備えている（図１及び図２参照）。
【００１８】
第１接続部２１は、２極のねじなし端子を有する端子台と、２本の電線２１０とを有している。端子台の一方の極（正極）のねじなし端子に一方の電線２１０が電気的に接続され、端子台の他方の極（負極）のねじなし端子に他方の電線２１０が電気的に接続されている（図２参照）。また、端子台の正極のねじなし端子にはインバータ回路２０の高電位側の出力端が電気的に接続され、端子台の負極のねじなし端子にはインバータ回路２０の低電位側の出力端が電気的に接続されている。
【００１９】
第２接続部２２は、第１接続部２１と同じく２極のねじなし端子を有する端子台で構成されている。第２接続部２２の正極のねじなし端子が電源ケーブル３（３Ａ）の一方の電線３０と電気的に接続され、第２接続部２２の負極のねじなし端子が電源ケーブル３（３Ａ）の他方の電線３０と電気的に接続される（図３参照）。
【００２０】
第３接続部２６は、第１接続部２１及び第２接続部２２と同じく２極のねじなし端子を有する端子台で構成されている。第３接続部２６の正極のねじなし端子が第２接続部２２の正極のねじなし端子と電気的に接続され、第３接続部２６の負極のねじなし端子が第２接続部２２の負極のねじなし端子と電気的に接続されている。つまり、第３接続部２６は、電源ケーブル３に対して第２接続部２２と電気的に並列に接続される。そして、第３接続部２６には、予備電源装置４を送り配線するための電源ケーブル３（３Ｂ）が電気的に接続される（図３参照）。
【００２１】
第２接続部２２の正極のねじなし端子にはヒューズ２５が電気的に接続されている。ヒューズ２５は、第２接続部２２から入力する電流が遮断容量を超えた場合に溶断して電路を遮断することにより、インバータ回路２０等を保護する。
【００２２】
インバータ回路２０は、ブリッジ回路２００と、フィルタ回路２０１と、制御回路２０２とを備えている。
【００２３】
ブリッジ回路２００は、４つのスイッチ素子Ｓ１〜Ｓ４を有している。各スイッチ素子Ｓ１〜Ｓ４は、例えば、電界効果トランジスタやバイポーラトランジスタなどの半導体スイッチング素子で構成されることが好ましい。ブリッジ回路２００は、４つのスイッチ素子Ｓ１〜Ｓ４がブリッジ接続されて構成されている。
【００２４】
制御回路２０２は、４つのスイッチ素子Ｓ１〜Ｓ４のうちの２つのスイッチ素子Ｓ１、Ｓ４の組を一緒にオン・オフする期間と、２つのスイッチ素子Ｓ２、Ｓ３の組を一緒にオン・オフする期間とを交互に繰り返すようにブリッジ回路を制御する。なお、制御回路２０２は、それぞれの期間において、各スイッチ素子Ｓ１〜Ｓ４のうちの２つのスイッチ素子の組（Ｓ１とＳ４の組とＳ２とＳ３の組）をＰＷＭ（Paluse Width Modulation）制御している。
【００２５】
フィルタ回路２０１は、ブリッジ回路２００から出力される高周波電圧の高周波成分をフィルタリングして商用電源の電源周波数（５０Ｈｚ又は６０Ｈｚ）に等しい周波数を有する正弦波電圧を出力するように構成されている。具体的には、フィルタ回路２０１は、コモンモードチョークコイルＬ１と、コンデンサＣ１とを有するローパスフィルタである。
【００２６】
プリント配線板２３は、例えば、合成樹脂製の絶縁基板の片面あるいは両面に配線導体（銅はく）が印刷形成されて構成されている。プリント配線板２３には、インバータ回路２０、第１接続部２１、第２接続部２２、ヒューズ２５並びに第３接続部２６が実装されている（図３参照）。
【００２７】
筐体２４は、インバータ回路２０などが実装されたプリント配線板２３を内部に収容している。筐体２４は、合成樹脂などの電気絶縁性を有する材料によって直方体形状に形成されている（図１及び図３参照）。筐体２４の前壁に、一対の第１電線孔２４１と、一対の第２電線孔２４２とが貫通している。筐体２４内においては、一対の第１電線孔２４１と対向する位置に第２接続部２２が配置され、一対の第２電線孔２４２と対向する位置に第３接続部２６が配置されている（図３参照）。また、筐体２４の後壁から２本の電線２１０が引き出されている。
【００２８】
照明装置１の器具本体１１は、図４〜図６に示すように、本体部１１０と、カバー１１１と、一対の支持具１１２とを有する。
【００２９】
本体部１１０は、下面が開口した有底筒状に形成されている。本体部１１０の下端には、略円環状のフランジ１１３が本体部１１０と一体に形成されている。なお、本体部１１０は、亜鉛鋼板やステンレス鋼板などの金属板で構成されることが好ましい。本体部１１０の側面に矩形の窓１１００が開口している。照明装置１は、本体部１１０の窓１１００を通して、入力端子部１２を構成している端子台の電線差込口１２０を本体部１１０の外に露出させている。
【００３０】
一対の支持具１１２は、本体部１１０の側面のうち異なる２つの側面に１つずつ取り付けられている。これら一対の支持具１１２は、長尺の板ばね状に形成されている。一対の支持具１１２の各々は、長手方向の一端部で本体部１１０に固定され、かつ、長手方向の他端部が本体部１１０の下方に撓み可能に構成されている。つまり、本体部１１０は、天井に設けられた埋込孔内に挿入される一対の支持具１１２と、本体部１１０の下端に設けられるフランジ１１３との間で天井材を挟み込むようにして天井に設置される。
【００３１】
カバー１１１は、本体部１１０の外径（フランジ１１３の先端縁の外径）よりも直径の大きい円盤状に形成されている。カバー１１１の中央には、円形の窓孔が設けられている。この窓孔にレンズ部１４が挿通されている。カバー１１１は、本体部１１０の下面の開口を開放可能に塞ぐように構成されている。カバー１１１の上面における前端及び後端には、それぞれ取付ばねが取り付けられている。これら一対の取付ばねは、本体部１１０の内周面に一対ずつ設けられる挿通溝に抜き差し可能に挿通される。つまり、カバー１１１は、一対の取付ばねがそれぞれ対応する挿通溝に挿通されることにより、本体部１１０の下面を閉塞する状態で本体部１１０に保持される。
【００３２】
本実施形態の照明装置１は、例えば、宿泊施設やオフィスビルなどに設置される。宿泊施設やオフィスビルなどの大型の建物においては、照明空間の広さに応じた台数（例えば、十数台から数十台）の照明装置１が設置される。これら複数台の照明装置１のうちの数台の照明装置１が非常用照明を行う。一方、複数台の照明装置１のうちで非常用照明を行う数台の照明装置１を除いた残りの全ての照明装置１が常用照明を行う。常用照明を行う各照明装置１の入力端子部１２には、商用電源用の電源ケーブルがアダプタ２を介さずに電気的に接続される。一方、非常用照明を行う各照明装置１の入力端子部１２には、アダプタ２の第１接続部２１の電線２１０が電気的に接続される。さらに、アダプタ２の第２接続部２２に電源ケーブル３が電気的に接続される。つまり、非常用照明を行う各照明装置１は、アダプタ２を介して予備電源装置４から供給される直流電力によってＬＥＤ１０を点灯させる。
【００３３】
ここで、建物内の什器等の配置が変更された場合、非常用照明の配置の変更が必要になることがある。非常用照明の配置を変更する場合、非常用照明から常用照明に切り替えられる照明装置１については、アダプタ２の電線２１０が入力端子部１２から取り外された後、商用電源用の電源ケーブルが入力端子部１２に電気的に接続される。また、常用照明から非常用照明に切り替えられる照明装置１については、商用電源用の電源ケーブルが入力端子部１２から取り外された後、アダプタ２の電線２１０が入力端子部１２に電気的に接続される。つまり、照明装置１の設置場所を変更することなく、照明装置１とアダプタ２の組み合わせを変更することによって、非常用照明を行う照明装置１の配置変更が完了する。
【００３４】
特許文献１記載の従来例の場合、常用照明と非常用照明の両方を行うことができるにも関わらず、常用照明と非常用照明のいずれかの照明のみしか行わないので、照明装置の利用効率の低下を招いてしまう。なお、照明装置の利用効率とは、例えば、照明装置が有している全ての機能の利用時間に対して、実際に利用（使用）された機能の利用時間の割合である。つまり、特許文献１記載の従来例が非常用照明のみを行う場合の利用効率は、常用照明が行われないことによって、常用照明が行われる場合と比較して大きく低下すると考えられる。
【００３５】
これに対して本実施形態のアダプタ２によれば、光源（ＬＥＤ１０）を点灯させるという単一の機能のみを有する照明装置１に非常用照明を行う機能を持たせることができるので、使用状況の変更等に伴う照明装置１の利用効率の低下の抑制を図ることができる。
【００３６】
ところで、アダプタ２の第１接続部２１は、２本の電線２１０の代わりに２本の接触子２１１を有していても構わない（図７参照）。各接触子２１１は、銅又は銅合金などの導電材料によって円柱状（棒状）に形成されている。アダプタ２は、照明装置１の電線差込口１２０に１本ずつ差し込まれた接触子２１１を、入力端子部１２が有する一対の刃受のうちの対応する１つの刃受と電気的に接続させるようにして照明装置１と組み合わされる。このようにアダプタ２の第１接続部２１が２本の接触子２１１を有する場合、第１接続部２１が２本の電線２１０を有する場合と比較して、入力端子部１２との接続作業の簡素化を図ることができる。
【００３７】
上述のように本発明の第１の態様に係るアダプタ（２）は、光源（ＬＥＤ１０）を点灯させる照明装置（１）に設けられた入力端子部（１２）に接続されるアダプタである。第１の態様に係るアダプタ（２）は、交流電力が入力される入力端子部（１２）と電気的に接続される第１接続部（２１）と、直流電力が供給される給電路（電源ケーブル３）と電気的に接続される第２接続部（２２）とを備える。第１の態様に係るアダプタ（２）は、第２接続部（２２）に入力される直流電力を交流電力に電力変換する電力変換部（インバータ回路２０）を備える。第１の態様に係るアダプタ（２）は、第１接続部（２１）、第２接続部（２２）並びに電力変換部（インバータ回路２０）を収容する筐体（２４）を備える。第１の態様に係るアダプタ（２）は、電力変換部（インバータ回路２０）が出力する交流電力を第１接続部（２１）から照明装置（１）の入力端子部（１２）に出力するように構成されている。
【００３８】
第１の態様に係るアダプタ（２）は、光源（ＬＥＤ１０）を点灯させるという単一の機能のみを有する照明装置（１）に、例えば、非常用照明を行う機能などの別の機能を持たせることができる。その結果、第１の態様に係るアダプタ（２）は、使用状況の変更等に伴う照明装置（１）の利用効率の低下の抑制を図ることができる。
【００３９】
本発明の第２の態様に係るアダプタ（２）は、第１の態様との組み合わせにより実現され得る。第２の態様に係るアダプタ（２）において、第１接続部（２１）は、筐体（２４）から導出され、入力端子部（１２）と電気的に接続される１つ以上の電線（２１０）を有していることが好ましい。
【００４０】
第２の態様に係るアダプタ（２）は、第１接続部（２１）と照明装置（１）の入力端子部（１２）が電線（２１０）によって電気的に接続されるので、接続作業の際に筐体（２４）に過大な応力が印加されにくい。その結果、第２の態様に係るアダプタ（２）は、筐体（２４）の強度を必要以上に高める必要がなく、コストの上昇を抑えることができる。
【００４１】
本発明の第３の態様に係るアダプタ（２）は、第１の態様との組み合わせにより実現され得る。第３の態様に係るアダプタ（２）において、第１接続部（２１）は、棒状に形成されて筐体（２４）の表面から突出し、かつ、入力端子部（１２）と電気的かつ機械的に接続される１つ以上の接触子（２１１）を有していることが好ましい。
【００４２】
第３の態様に係るアダプタ（２）は、第２の態様に係るアダプタ（２）と比較して、第１接続部（２１）と照明装置（１）の入力端子部（１２）との電気的な接続作業の作業性の向上を図ることができる。
【００４３】
本発明の第４の態様に係るアダプタ（２）は、第１〜第３の態様のいずれか１つとの組み合わせにより実現され得る。第４の態様に係るアダプタ（２）において、第２接続部（２２）から第１接続部（２１）に到る電路に流れる電流が所定の上限値を超えた場合に電路を遮断する遮断部（ヒューズ２５）を備えることが好ましい。
【００４４】
第４の態様に係るアダプタ（２）は、遮断部（ヒューズ２５）が電路を遮断することにより、上限値を超える過大な電流が電路に流れることを防いで電力変換部（インバータ回路２０）などを保護することができる。
【００４５】
本発明の第５の態様に係るアダプタ（２）は、第１〜第４の態様のいずれか１つとの組み合わせにより実現され得る。第５の態様に係るアダプタ（２）において、第２接続部（２２）と電気的に並列接続され、第２接続部（２２）に入力される直流電力を外部に出力する第３接続部（２６）を備えることが好ましい。
【００４６】
第５の態様に係るアダプタ（２）は、第３接続部（２６）を通して別のアダプタ（２）に電源ケーブル（３）を送り配線することができる。
【００４７】
上述のように本発明の第６の態様に係る照明装置（１）は、光源（ＬＥＤ１０）と、第１〜第５の態様のいずれか１つの態様に係るアダプタ（２）が備える第１接続部（２１）と電気的に接続されてアダプタ（２）から交流電力が入力される入力端子部（１２）とを備える。第６の態様に係る照明装置（１）は、入力端子部（１２）と電気的に接続されて光源（ＬＥＤ１０）を点灯させる点灯回路（１３）を備える。
【００４８】
第６の態様に係る照明装置（１）は、入力端子部（１２）にアダプタ（２）の第１接続部（２１）が電気的に接続されるか否かに関わらず、点灯回路（１３）によって光源（ＬＥＤ１０）を点灯させることができる。その結果、第６の態様に係る照明装置（１）は、使用状況の変更等に伴う利用効率の低下の抑制を図ることができる。
【符号の説明】
【００４９】
１  照明装置
２  アダプタ
３  電源ケーブル（給電路）
１０  ＬＥＤ（光源）
１２  入力端子部
１３  点灯回路
２０  インバータ回路（電力変換部）
２１  第１接続部
２２  第２接続部
２４  筐体
２５  ヒューズ（遮断部）
２６  第３接続部
【図１】
2019046603.tif 000003
【図２】
2019046603.tif 000004
【図３】
2019046603.tif 000005
【図４】
2019046603.tif 000006
【図５】
2019046603.tif 000007
【図６】
2019046603.tif 000008
【図７】
2019046603.tif 000009